(57)【要約】【課題】軒樋の外側壁部と屋根とが離れて見苦しくなるのを防止することができると共に、水が軒樋の外面を流下して地面を穿つのを防止することができる雨だれ防止軒樋を提供する。【解決手段】上方に開口する開口溝１０を有して軒先に配置される雨だれ防止軒樋１である。開口溝１０の外側端縁より内方に向けて横片２を連設し、該横片２より縦片３をほぼ上方に向けて突設し、該縦片３の上端部より屋根勾配と略同勾配となる傾斜面部４を屋根５側に向けて連設し、上記横片２の縦片３を突設した部分の外側に該縦片３の傾斜面部４から流下した雨水が軒樋１内に落ちる水抜き孔２１を形成した。【選択図】　　　　図１
2004084301.tif 000002
【特許請求の範囲】
【請求項１】
上方に開口する開口溝を有して軒先に配置される雨だれ防止軒樋であって、開口溝の外側端縁より内方に向けて横片を連設し、該横片より縦片をほぼ上方に向けて突設し、該縦片の上端部より屋根勾配と略同勾配となる傾斜面部を屋根側に向けて連設し、上記横片の縦片を突設した部分の外側に該縦片の傾斜面部から流下した水が軒樋内に落ちる水抜き孔を形成して成ることを特徴とする雨だれ防止軒樋。
【請求項２】
横片の内外方向に複数の縦片を突設して各縦片から傾斜面部を連設し、横片の各縦片を突設した部分の外側にそれぞれ水抜き孔を形成して成ることを特徴とする請求項１記載の雨だれ防止軒樋。
【発明の詳細な説明】
【０００１】
【発明の属する技術分野】
本発明は、軒先に取付られる軒樋に関するものである。
【０００２】
【従来の技術】
従来より、建物の軒先部には、上方に開口する開口溝を有する軒樋を配設するものである。これは、図２に示すように、軒樋１を建物Ｋの軒先部（即ち屋根５の外下端部５１の下方）に配設し、屋根５から流下した水を受けるものである。軒樋１は、外側片１１，底片１２，内側片１３とで上方に開口する略コ字状に主体が構成されて開口溝１０を有するものである。図中１４は耳部を示す。
【０００３】
しかしながら、図２に示す軒樋１は、上方が全て開口して開口溝１０となっているため、軒樋１の外側片１１の上端部と屋根５の外下端部５１との間が離れてこの間に図２のＷに示す隙間が広く形成され、人が斜め下方より屋根の傾斜方向に見上げた際に、前記Ｗに示す隙間が目立ってしまって見栄えが悪いものであった。
【０００４】
そこで、図３に示すように、軒樋１の外側片１１の上端部より屋根５に向けて屋根勾配とほぼ同勾配となる傾斜面部４を連設することが考えられた。これによって、軒樋１の外側片１１の上端部と屋根５とが図２に示す上従来例と比べて近接するため（即ち図３中に示すＷ＜図２中に示すＷ、となるため）、この上従来例のように軒樋１の外側片１１の上端部と屋根５の外下端部５１との間が離れてしまって見苦しい、ということはなくなるが、傾斜面部４上に降った雨水が軒樋１の外側片１１を伝って地面に落下して地面を穿ってしまうという問題があった。
【０００５】
【発明が解決しようとする課題】
本発明はこのような点に鑑みてなされたものであり、その目的とするところは、軒樋の外側片の上端部と屋根の外下端部とが離れて見苦しくなるのを防止すると共に、雨水が軒樋１の外側片１１の外面を伝って地面に落下して地面を穿つのを抑えることができる雨だれ防止軒樋を提供することを課題とするものである。
【０００６】
【課題を解決するための手段】
上記課題を解決するために本発明に係る雨だれ防止軒樋は、上方に開口する開口溝１０を有して軒先に配置される雨だれ防止軒樋１であって、開口溝１０の外側端縁より内方に向けて横片２を連設し、該横片２より縦片３をほぼ上方に向けて突設し、該縦片３の上端部より屋根勾配と略同勾配となる傾斜面部４を屋根５側に向けて連設し、上記横片２の縦片３を突設した部分の外側に該縦片３の傾斜面部４から流下した雨水が軒樋１内に落ちる水抜き孔２１を形成して成ることを特徴とするものである。このような構成とすることで、傾斜面部４に降った雨水はこの傾斜面部４を突出する縦片３を流下して水抜き孔２１から軒樋１内に落ちるため、軒樋１の外側片１１の外面を流下して地面に落下して地面を穿つのを防止できて、更に、軒樋１の傾斜面部４と屋根５の外下端部５１間に大きな隙間が形成されないようにすることで、人が地面に立って屋根５を見上げた際、この隙間が目立って見苦しくなるのを防止することが可能となる。
【０００７】
また、横片２の内外方向に複数の縦片３を突設して各縦片３から傾斜面部４を連設し、横片２の各縦片３を突設した部分の外側にそれぞれ水抜き孔２１を形成することが好ましい。このような構成とすることで、傾斜面部４に降った雨水が軒樋１により一層落下し易くなる。
【０００８】
【発明の実施の形態】
以下、本発明を図１に示す実施形態に基づいて説明する。
【０００９】
雨だれ防止軒樋（以下、単に軒樋１という）は、建物Ｋの軒先部、即ち、屋根５の外下端部５１の下方に配設され、屋根５に降って屋根５を流下した雨水を受けるものである。軒樋１は長手方向が屋根５の外下端部５１に沿うように配設され、上方に開口する開口溝１０が長手方向に配設される。
【００１０】
軒樋１は、外側片１１，底片１２，内側片１３とで上方に開口する略コ字状に主体が構成される。外側片１１の上端部からは、内方にほぼ水平な横片２が連設してあり、更に、横片２の内側端部から上方に向けて縦片３が突設してある。本実施形態では、図１に示すように、複数の縦片３が横片２から上方に突設される。そして、縦片３の上端部からは、傾斜面部４が連設される。
【００１１】
傾斜面部４は、上記縦片３の上端部から屋根５の勾配とほぼ同じ勾配を有するもので、縦片３の上端部から屋根５の方向に向けて連設される。この傾斜面部４は、本実施形態のように横片２の内外方向の複数箇所から縦片３が突設してある場合には、それぞれの縦片３の上端部から傾斜面部４が連設されると共に、これらの傾斜面部４はほぼ同一平面内に位置するように配置され、各傾斜面部４間には雨水が落下し得る幅狭の隙間が形成される。そして、横片２のそれぞれの縦片３を突出する部分の外側に水抜き孔２１をそれぞれ形成してある。
【００１２】
このような構成とすることで、傾斜面部４に降った雨水はこの傾斜面部４を突出する縦片３を流下し、この縦片３の外側に形成してある水抜き孔２１から軒樋１内に落ちるため、軒樋１の外側片１１の外面を流下して地面に落下し、地面を穿つことがないものである。また更に、軒樋１の傾斜面部４間や、軒樋１の傾斜面部４と屋根５の外下端部５１間に大きな隙間が形成されないため、人が地面に立って屋根５を見上げた際、この隙間が目立って見苦しいといったことがないものである。
【００１３】
また、複数の縦片３を横片２の内外方向に突設して各縦片３を突設した部分の外側に水抜き孔２１をそれぞれ形成してあるため、傾斜面部４に降った雨水が軒樋１により一層落下し易くなる。
【００１４】
なお、図１乃至図３においては、軒樋１の建物Ｋに対する取付具は図示を省略している。
【００１５】
【発明の効果】
上記のように本発明の請求項１記載の発明にあっては、上方に開口する開口溝を有して軒先に配置される雨だれ防止軒樋であって、開口溝の外側端縁より内方に向けて横片を連設し、該横片より縦片をほぼ上方に向けて突設し、該縦片の上端部より屋根勾配と略同勾配となる傾斜面部を屋根側に向けて連設し、上記横片の縦片を突設した部分の外側に該縦片の傾斜面部から流下した水が軒樋内に落ちる水抜き孔を形成したので、傾斜面部に降った雨水はこの傾斜面部を突出する縦片を流下して水抜き孔から軒樋内に落ちるため、軒樋の外側片の外面を流下して地面に落下して地面を穿つのを防止できて、更に、軒樋の傾斜面部と屋根の外下端部間に大きな隙間が形成されないようにすることで、人が地面に立って屋根を見上げた際、この隙間が目立って見苦しくなるのを防止することが可能となる。
【００１６】
また請求項２記載の発明にあっては、請求項１記載の発明の効果に加えて、横片の内外方向に複数の縦片を突設して各縦片から傾斜面部を連設し、横片の各縦片を突設した部分の外側にそれぞれ水抜き孔を形成したので、傾斜面部に降った雨水が軒樋により一層落下し易くなる。
【図面の簡単な説明】
【図１】本発明の一実施形態を示す斜視図である。
【図２】従来例を示す側面図である。
【図３】他の従来例を示す側面図である。
【符号の説明】
１　軒樋
１０　開口溝
２　横片
２１　水抜き孔
３　縦片
４　傾斜面部
５　屋根
【図１】
2004084301.tif 000003
【図２】
2004084301.tif 000004
【図３】
2004084301.tif 000005